【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
外部スリーブと前記外部スリーブ内に収容された噛合部材とを有するハウジングと、
検体を含有する媒体中の検体の存在を測定することができる光学ベースのセンサであって、前記噛合部材内に配置され、本体と、内部回路と、前記本体内に収容された内部コイルとを含み、前記内部コイルが外部電源から電力を無線で受け取るように構成された、光学ベースのセンサと、
前記センサに電力を伝達し、かつ前記センサからデータを受けるように構成された駆動回路とを備え、
前記噛合部材が、前記光学ベースのセンサが前記検体を含有する媒体に接触することができるように、測定される前記検体を含有する前記媒体と接触しているデバイスと噛合するように構成された、センシング装置。
【請求項２】
前記センサが、
前記媒体と相互作用する蛍光指示薬へと光を導入する光源と、
導入された前記光に応答して前記蛍光指示薬によって放射される光を検出し、前記検出光に比例した信号を出力する光検出器とをさらに備え、前記蛍光指示薬の応答が前記媒体中の検体の存在および濃度に従って変動する、請求項１に記載のセンシング装置。
【請求項３】
前記駆動回路が、前記センサから外部処理デバイスへとデータを伝達するようにさらに構成された、請求項１に記載のセンシング装置。
【請求項４】
前記データが前記光検出器からの前記信号出力を含む、請求項２に記載のセンシング装置。
【請求項５】
前記一次コイルが前記ハウジング内に配置される、請求項１に記載のセンシング装置。
【請求項６】
前記一次コイルがＰＣＢ基板上に印刷され、前記内部コイルの結合距離内に取り付けられる、請求項１に記載のセンシング装置。
【請求項７】
前記駆動回路が、無線通信インターフェースを通して前記センサから前記外部処理デバイスへと前記データを伝達する、請求項３に記載のセンシング装置。
【請求項８】
前記ハウジングがルアー取付具である、請求項１に記載のセンシング装置。
【請求項９】
前記ルアー取付具が約６％のテーパーを有する、請求項８に記載のセンシング装置。
【請求項１０】
前記検体がグルコースである、請求項１に記載のセンシング装置。
【請求項１１】
前記センサが１つを超える数の検体を測定するように構成された、請求項１に記載のセンシング装置。
【請求項１２】
前記駆動回路が電磁誘導によって前記センサに電力を伝達し、かつ前記センサからデータの伝達を受けるように構成された、請求項１に記載のセンシング装置。
【請求項１３】
前記デバイスが注射器である、請求項１に記載のセンシング装置。
【請求項１４】
前記デバイスが流体ラインである、請求項１に記載のセンシング装置。
【請求項１５】
前記駆動回路が前記センサにデータを伝達するようにさらに構成された、請求項１に記載のセンシング装置。
【請求項１６】
検体を含有する媒体中の検体の存在を測定する複数の光学ベースのセンサであって、前記センサがそれぞれ、外部スリーブと前記外部スリーブ内に収容された噛合部材とを有するハウジングに配置され、前記センサがそれぞれ、本体と、内部回路と、前記本体内に収容された内部コイルとを含み、前記内部コイルが外部電源から電力を受け取り、データを送信するように構成された、光学ベースのセンサと、
一次コイルに結合された駆動回路を備える少なくとも１つの読取りデバイスであって、前記一次コイルが、前記複数の光学ベースのセンサの前記内部コイルに電力を送信し、かつ前記内部コイルからデータを受け取るように構成された、読取りデバイスと、
前記複数の光学ベースのセンサの少なくとも１つから前記データを受け取るため、前記読取りデバイスとインターフェース接続するように構成された処理デバイスとを備え、
前記ハウジングの前記噛合部材が、前記光学ベースのセンサが前記検体を含有する媒体と接触するように、測定される前記検体を含有する前記媒体と接触しているデバイスと噛合するように構成された、センサシステム。
【請求項１７】
前記センサが、
媒体と相互作用する蛍光指示薬へと光を導入する光源と、
導入された前記光に応答して前記蛍光指示薬によって放射される光を検出し、前記検出光に比例した信号を出力する光検出器とをさらに備え、前記蛍光指示薬の応答が前記媒体中の検体の存在および濃度に従って変動する、請求項１７に記載のセンサシステム。
【請求項１８】
前記データが前記光検出器からの前記信号出力を含む、請求項１８に記載のセンサシステム。
【請求項１９】
前記一次コイルがＰＣＢ基板上に印刷され、前記複数の光学ベースのセンサのうち１つの前記内部コイルの結合距離内に取り付けられる、請求項１７に記載のセンサシステム。
【請求項２０】
前記読取りデバイスが、無線通信インターフェースを通して前記センサから前記処理デバイスへと前記データを伝達する、請求項１７に記載のセンサシステム。
【請求項２１】
前記ハウジングの少なくとも１つがルアー取付具である、請求項１７に記載のセンサシステム。
【請求項２２】
前記検体がグルコース、Ｏ２、またはＣＯ２である、請求項１７に記載のセンサシステム。
【請求項２３】
前記少なくとも１つのセンサ装置の前記光学ベースのセンサが１つを超える数の検体を測定するように構成された、請求項１７に記載のセンサシステム。
【請求項２４】
各センサがそれと関連付けられた別個の読取りデバイスを有する、請求項１７に記載のセンサシステム。
【請求項２５】
前記読取りデバイスが、前記複数のセンサのうち１つ以上を読み取ることができる手持ち型のデバイスを備える、請求項１７に記載のセンサシステム。
【請求項２６】
前記読取りデバイスが、異なるプリセット間隔で前記複数のセンサのうち１つ以上を読み取るように構成された、請求項１７に記載のセンサシステム。
【請求項２７】
前記読取りデバイスが前記複数の光学ベースのセンサにデータを送るように構成された、請求項１７に記載のセンサシステム。
【請求項２８】
外部スリーブと前記外部スリーブ内に配置された噛合部材とを有するハウジングを備えるセンシング装置を提供するステップであって、前記センシング装置が、前記ハウジングの前記噛合部材内に配置された光学ベースのセンサをさらに備え、前記光学ベースのセンサが、本体と、内部回路と、前記本体内に収容された内部コイルとを含み、前記内部コイルが外部電源から電力を受け取るように構成された、センシング装置を提供するステップと、
測定される前記検体を含有する前記媒体と流体連通するように構成されたデバイスと前記センシング装置を噛合させ、読取りデバイスを使用して電磁誘導によって前記内部コイルを励起するステップと、
前記読取りデバイスにおいて、媒体中の検体の存在に関するデータを前記光学ベースのセンサから受け取るステップと、
前記データを処理デバイスに送信するステップとを含む、媒体中の検体の存在および濃度を測定する方法。
【請求項２９】
前記内部コイルが予め定められた間隔で励起される、請求項２９に記載の検体の存在および濃度を測定する方法。
【請求項３０】
前記データが無線で前記処理デバイスに送信される、請求項３０に記載の検体の存在および濃度を測定する方法。
【請求項３１】
前記光学ベースのセンサが、
媒体と相互作用する蛍光指示薬へと光を導入する光源と、
導入された前記光に応答して前記蛍光指示薬によって放射される光を検出し、前記検出光に比例した信号を出力する光検出器とをさらに備え、前記蛍光指示薬の応答が前記媒体中の検体の存在および量に従って変動する、請求項３０に記載の検体の存在および濃度を測定する方法。
【請求項３２】
前記データが前記光検出器からの前記信号出力を含む、請求項３２に記載の検体の存在および濃度を測定する方法。
【請求項３３】
前記ハウジングがルアー取付具である、請求項３０に記載の検体の存在および濃度を測定する方法。
【請求項３４】
前記デバイスが流体ラインである、請求項３０に記載の検体の存在および濃度を測定する方法。
【請求項３５】
前記センサにデータを送るステップをさらに含む、請求項２９に記載の検体の存在および濃度を測定する方法。
【請求項３６】
ハウジングの外表面に配置されたキャビティを有するハウジングと、
検体を含有する媒体中の検体の存在を測定することができる光学ベースのセンサであって、前記ハウジングの前記キャビティ内に配置され、本体と、内部回路と、前記本体内に収容された内部コイルとを含み、前記内部コイルが外部電源から電力を受け取るように構成された、光学ベースのセンサと、
前記センサに電力を伝達し、かつ前記センサからデータを受け取るように構成された駆動回路とを備え、
前記ハウジングが、前記光学ベースのセンサが前記検体を含有する媒体に接触することができるように、測定される前記検体を含有する前記媒体と接触しているデバイスと接続するように構成された、センシング装置。
【請求項３７】
前記内部コイルが前記外部電源から電力を無線で受け取るように構成され、前記駆動回路が前記センサに電力を無線で伝達し、かつ前記センサからデータの伝達を受けるように構成された、請求項３７に記載のセンシング装置。
【請求項３８】
通信線を介して、前記内部コイルが前記外部電源から電力を受け取るように構成され、前記駆動回路が前記センサに電力を伝達し、かつ前記センサからデータの伝達を受けるように構成された、請求項３７に記載のセンシング装置。
【請求項３９】
前記駆動回路が前記センサにデータを送るようにさらに構成された、請求項３７に記載のセンシング装置。